(57)【要約】【課題】水切部材の取り付け作業を容易化し、しかも、水切部材の変形や破損を抑制する。【解決手段】基礎１１の上に据え付けられた建物１０において、一階部分の外壁２４には水切部材３１が取り付けられている。水切部材３１は、外壁２４の外壁パネル２５の下端部に固定された固定部３２と、その固定部３２から下方に延びている水切板部３３とを有している。水切板部３３は、基礎１１の上端部よりも下方に延びており、基礎１１の外側面と対向している。水切板部３３と基礎１１との隙間部分において、水切板部３３の内側面にはブラケット４１が取り付けられており、基礎１１の外側面にはブラケット受け部４２が取り付けられている。ブラケット４１とブラケット受け部４２とは嵌合しており、それによって水切板部３３が基礎１１に固定されている。【選択図】      図１
2013100641.tif 000002
【特許請求の範囲】
【請求項１】
基礎の上に据え付けられた建物においてその一階部分の外壁の下方に水切部材が設けられてなる建物の水切構造であって、
前記水切部材は、前記外壁の下方において前記建物に固定される固定部と、該固定部から下方に延び前記基礎の外側面に対向する水切板部とを有し、
前記基礎の外側面と前記水切部材の水切板部の内側面との間の隙間部分において、前記基礎には前記水切板部に向けて延びる第１部材が設けられ、前記水切板部には前記基礎の外側面に向けて延びる第２部材が設けられており、
前記第１部材と前記第２部材とが互いに結合されることにより、前記基礎に前記水切板部が支持されていることを特徴とする建物の水切構造。
【請求項２】
前記第１部材及び前記第２部材は、一方が凸部を有し、他方が凹部を有し、これら凸部及び凹部の嵌合により互いに結合可能となっており、
前記基礎の外側面に対する方向への前記水切板部の押し込みにより、前記水切板部が前記基礎に対して固定される請求項１に記載の建物の水切構造。
【請求項３】
前記第２部材は、前記第１部材に対して水平方向にスライド移動可能である請求項１又は２に記載の建物の水切構造。
【請求項４】
前記基礎は、少なくとも地上において各々分割された複数の基礎部からなり、それら各基礎部が、前記建物の外周部となる位置に沿って互いに離間した状態で配置されている請求項１乃至３のいずれか１項に記載の建物の水切構造。
【発明の詳細な説明】
【技術分野】
【０００１】
本発明は、建物の水切構造に関するものである。
【背景技術】
【０００２】
住宅等の建物において、外壁を伝って流下する雨水等が外壁と基礎との隙間に浸入することを防止するために、外壁の下端部分に水切部材を設ける技術が知られている（例えば特許文献１）。この技術では、水切部材が基礎側面まで延びた状態で設けられており、外壁を伝って流下してきた雨水等を建物内部に浸入させることなく水切部材の下端から流下させることができる。
【先行技術文献】
【特許文献】
【０００３】
【特許文献１】特開２００１−２７１４８５号公報
【発明の概要】
【発明が解決しようとする課題】
【０００４】
しかしながら、水切部材が基礎側面まで延びているということは、水切部材の上下方向の長さ寸法が大きくされていることになり、風などにより外力が加えられることで変形や破損が生じやすくなる。そして、水切部材が変形したり破損したりすると、建物外観の見栄えが損なわれることが懸念される。
【０００５】
本発明は、水切部材の取り付け作業を容易化し、しかも、水切部材の変形や破損を抑制することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の水切構造は、基礎の上に据え付けられた建物においてその一階部分の外壁の下方に水切部材が設けられてなる建物の水切構造であって、前記水切部材は、前記外壁の下方において前記建物に固定される固定部と、該固定部から下方に延び前記基礎の外側面に対向する水切板部とを有し、前記基礎の外側面と前記水切部材の水切板部の内側面との間の隙間部分において、前記基礎には前記水切板部に向けて延びる第１部材が設けられ、前記水切板部には前記基礎の外側面に向けて延びる第２部材が設けられており、前記第１部材と前記第２部材とが互いに結合されることにより、前記基礎に前記水切板部が支持されていることを特徴とする。
【０００８】
第１の発明によれば、水切部材において基礎側面まで延びている水切板部が基礎により支持される。そのため、水切部材の固定がしっかりとしたものとなる。この場合仮に、水切板部をその下端部が地上面に近接する位置となるよう延ばした構成（水切板部を、基礎を囲む幕板状に設ける構成）だとしても、水切部材をしっかりと支持できることとなる。したがって、風などにより外力が加えられても水切部材が変形したり破損したりすることを抑制できる。
【０００９】
また、基礎には水切板部に向けて延びる第１部材を設けるとともに、水切板部には基礎の外側面に向けて延びる第２部材を設け、これら両者を結合させる構成とした。この場合、基礎の外側面と水切板部の内側面との間の隙間部分が水切板部の背後に隠れていても、上記の各部材（第１，第２部材）によって基礎に対する水切板部の結合を容易に実施することが可能となる。
【００１０】
以上により、水切部材の取り付け作業を容易化することができ、しかも、水切部材により建物の見栄えが損なわれることを抑制できる。
【００１１】
第２の発明では、前記第１部材及び前記第２部材は、一方が凸部を有し、他方が凹部を有し、これら凸部及び凹部の嵌合により互いに結合可能となっており、前記基礎の外側面に対する方向への前記水切板部の押し込みにより、前記水切板部が前記基礎に対して固定される。
【００１２】
第２の発明によれば、凸部と凹部との位置合わせを行いつつ水切板部を基礎に対して押し付けるという容易な作業により、第１部材と第２部材とを結合させることができる。これにより、基礎に対して水切板部を装着する作業を容易化できる。
【００１３】
第３の発明では、前記第２部材は、前記第１部材に対して水平方向にスライド移動可能である。
【００１４】
第３の発明によれば、第１，第２の両部材を互いに結合した状態でも、水平方向にスライド移動させることができる。これにより、水切部材の位置調整を容易に実施できる。また、上記のスライド移動により、第２部材（基礎）に対して第１部材（水切板部）を結合させる構成であってもよい。
【００１５】
第４の発明では、前記基礎は、少なくとも地上において各々分割された複数の基礎部からなり、それら各基礎部が、前記建物の外周部となる位置に沿って互いに離間した状態で配置されている。
【００１６】
複数の基礎部が例えば基礎ブロックなどにより互いに独立して構成されている場合、基礎ブロックは簡易の設置が可能であり、コスト面、施工面でのメリットはあるが、見栄えが損なわれるおそれがある。この点、第４の発明では、水切板部をその下端部が地上面に近接する位置となるよう延ばした構成（水切板部を、基礎を囲む幕板状に設ける構成）を容易に採用できるため、水切板部により基礎全体を覆い隠す構成を実現する上で好適である。
【図面の簡単な説明】
【００１７】
【図１】基礎周辺の構成を示す縦断面図。
【図２】基礎及び水切部材の配置を説明するための図。
【図３】別の水切部材の構成を示す正面図。
【発明を実施するための形態】
【００１８】
以下、本発明を具体化した一実施形態を図面に基づいて説明する。本実施形態では、複数階建ての建物の一階部分に水切部材が取り付けられた建物の水切構造に本発明を具体化している。図１は基礎１１周辺の構成を示す縦断面図である。
【００１９】
図１に示すように、住宅等の建物１０は基礎１１の上に据え付けられている。図１では、ユニット式建物において一階部分の建物ユニットの床大梁２１が、基礎１１の上方に設けられている。床大梁２１は、断面略コ字状の溝形鋼により形成されており、その溝部を一階部分の床下空間１５に向けて設置されている。床大梁２１は、建物１０の外周面に沿って水平方向に延びている。
【００２０】
床大梁２１はスペーサ２２を挟んで基礎１１の上面に載置されており、基礎１１から上方に離間している。スペーサ２２は、ゴムなどの材料により形成されており、床大梁２１の長手方向に沿って所定間隔で複数設けられている。
【００２１】
床大梁２１は外壁２４を支持しており、外壁２４は外壁パネル２５を含んで構成されている。外壁パネル２５は、外壁の屋外面を形成する外壁面材２６と、外壁面材の裏面側（屋内面側）に取り付けられた外壁フレーム２７とを有している。外壁面材２６は、例えば窯業系サイディング等の外装材により形成されている。外壁フレーム２７は、断面略コ字状の軽量鉄骨材により形成されており、外壁面材２６に沿って上下方向や左右方向に延びるように配置されている。外壁フレーム２７は、外壁面材２６の下端部に沿って延びる下フレーム材２７ａを有しており、その下フレーム材２７ａは、床大梁２１に対して固定されている。
【００２２】
外壁２４の下方には、外壁２４と基礎１１との隙間に雨水等が浸入することを防止する水切部材３１が設けられている。水切部材３１は、アルミニウム等の金属材料により形成されており、その水切部材３１は外壁２４の下端や床大梁２１に沿って延びるように配置されている。
【００２３】
水切部材３１は、外壁パネル２５の下端部に固定された固定部３２と、その固定部３２から下方に延びる水切板部３３と、水切板部３３の下端部に設けられた鼠返し板部３４とを有している。ここで、外壁パネル２５においては、下フレーム材２７ａの一部が外壁面材２６の下端部よりも下方にはみ出しており、そのはみ出した部分に水切部材３１の固定部３２がビス等の締結手段３５により固定されている。
【００２４】
水切板部３３は、基礎１１の上端部よりも下方において地表面（ＧＬ）に向けて基礎１１の外側面と平行に延びており、その外側面から屋外側に離間した状態で同外側面と対向している。水切板部３３は、その下端部が地表面に接触しない程度に近接する位置まで延びており、基礎１１の外側面を覆い隠す基礎幕板としての役割を果たしている。
【００２５】
鼠返し板部３４は、水切板部３３の下端部から基礎１１側の斜め上方に向けて延びている。なお、鼠返し板部３４の基礎側端部と基礎１１とは離間しているとともに、鼠返し板部３４には、通気用のスリットが複数設けられている。
【００２６】
水切部材３１においては、水切板部３３が基礎１１の外側面に固定されている。具体的には、水切板部３３の内側面（基礎１１に対向する対向面）には、基礎１１の外側面に向けて延びるブラケット４１が設けられており、基礎１１の外側面（水切板部３３に対向する対向面）には、ブラケット４１が嵌合するブラケット受け部４２が設けられている。ブラケット４１及びブラケット受け部４２は、基礎１１の外側面と水切板部３３の内側面との間の隙間部分に収納された状態で、水切板部３３を基礎１１に対して固定するものである。なお、ブラケット受け部４２が基礎１１側の第１部材に相当し、ブラケット４１が水切板部３３側の第２部材に相当する。
【００２７】
ブラケット受け部４２は、基礎１１の上下両端部の略中央に配置されており、ブラケット４１はブラケット受け部４２に合わせた高さ位置に配置されている。この場合、上下方向において水切板部３３と基礎１１とはほぼ同じ長さ寸法を有しているため、水切板部３３は上下方向のほぼ中央がブラケット４１及びブラケット受け部４２により支持されていることになる。
【００２８】
ブラケット４１は外壁２４に向けて突出した凸部４３を有し、ブラケット受け部４２は水切板部３３とは反対側に向けて凹んだ凹部４４を有している。ここで、ブラケット４１及びブラケット受け部４２は合成樹脂材料などの弾性材料により形成されており、少なくとも一方の弾性変形に伴って凸部４３が凹部４４に押し込まれることにより、凸部４３が凹部４４に嵌合する。つまり、水切板部３３が基礎１１に向けて押圧されることでブラケット４１とブラケット受け部４２とが互いに結合されている。凹部４４の開放端は、凸部４３とほぼ同じ大きさ及び形状であるが、凸部４３よりも僅かに小さく形成されている。これにより、凸部４３が凹部４４に嵌合する構成が実現されている。
【００２９】
なお、ブラケット４１の凸部４３には、凸部４３の突出方向に略直交する方向に向けて突出した係止部４３ａが設けられ、ブラケット受け部４２の凹部４４には係止部４３ａに係止する被係止部４４ａが設けられている。凸部４３が凹部４４に嵌合した場合には、それら係止部４３ａと被係止部４４ａとが係止状態となることで凸部４３と凹部４４との結合状態が解除されにくくなる。なお、凸部４３の係止部４３ａを、凸部４３から上方に向けて屈曲するように延出した延出部と称し、凹部４４の被係止部４４ａを、凹部４４の周面から下方に向けて屈曲するように延出した延出部と称した場合、これら延出部同士が互いに係止することになる。
【００３０】
本実施形態では、基礎１１が地上において各々分割された複数の基礎部５１からなっている。ここでは、基礎１１の構成について図２を参照しつつ説明する。図２は基礎１１及び水切部材３１の配置を説明するための図であり、（ａ）に基礎１１及び水切部材３１の概略平面図を示し、（ｂ）に（ａ）における基礎部５１周辺の拡大図を示す。
【００３１】
図２（ａ）に示すように、複数の基礎部５１は、建物１０の外周面に沿って所定間隔で並べて設けられている。基礎部５１は、プレキャストコンクリート部材などにより形成された基礎ブロックが地上面に載置されたものであり、基礎部５１の載置部分は例えば砕石が敷き詰められた砕石層とされている。各基礎部５１は互いに離間しており、それぞれ独立した構造とされている。なお、本実施形態の基礎１１は簡易式の基礎構造とされており、仮設住宅等の仮設建物に適したものとなっている。
【００３２】
水切部材３１は、建物１０の外周面に沿って複数並べて設けられており、各水切部材３１は隣り合う基礎部５１に架け渡された状態となっている。この場合、水切部材３１は基礎１１全体の周囲を囲んでおり、基礎部５１の側面に加えて基礎部５１同士の離間部分を覆い隠している。水切部材３１においては、隣り合う基礎部５１のそれぞれに対して水切板部３３がブラケット４１及びブラケット受け部４２を介して固定されている。ここで、基礎部５１には、隣り合う水切部材３１のそれぞれに対応させてブラケット受け部４２が個別に設けられている。これにより、各水切部材３１は各基礎部５１のそれぞれに対してしっかりと固定されている。なお、水切部材３１の固定部３２は、基礎部５１の設置部分についてはもちろんのこと、基礎部５１同士の離間部分についても外壁パネル２５の下端部に対して固定されている。
【００３３】
図２（ｂ）に示すように、隣り合う水切部材３１は、互いの一側端を突き合せた状態で配置されており、その突き合せ部分においてジョイナ部材５５により連結されている。ジョイナ部材５５は、隣り合う水切部材３１の内側（基礎１１側）においてそれら水切部材３１に架け渡された状態で設けられている。これにより、隣り合う水切部材３１の隙間が大きくなることを抑制できる。
【００３４】
建物１０においては、基礎１１が床下空間１５の屋外側に配置されているが、床下空間１５と屋外空間との間で通気が可能な構成とされている。詳しくは、基礎１１と床大梁２１との隙間、基礎１１と水切板部３３との隙間を通じて通気可能となっているとともに、隣り合う基礎部５１の離間部分を通じて通気可能となっている。ちなみに、基礎１１と床大梁２１との隙間においては、隣り合うスペーサ２２の離間部分が通気部となっており、基礎１１と水切板部３３との隙間においては、隣り合うブラケット４１の離間部分及び隣り合うブラケット受け部４２の離間部分が通気部となっている。また、水切板部３３の下端部は地表面に近接しているものの地表面から離間しているため、水切板部３３の下端部と地表面との隙間部分を通じて床下空間１５の通気が可能となっている。なお、鼠返し板部３４は通気用のスリットを有するなどしており、通気を遮断するものではない。
【００３５】
ここで、水切部材３１の取り付け手順について簡単に説明する。まず、水切部材３１の取り付け位置に合わせて、基礎１１にブラケット受け部４２を取り付けるとともに水切部材３１にブラケット４１を取り付ける。そして、水切部材３１を隣り合う基礎部５１に架け渡した状態で、ブラケット受け部４２の凹部４４に対するブラケット４１の凸部の位置合わせを行いつつ水切部材３１を各基礎部５１に押し付け、ブラケット４１をブラケット受け部４２に嵌合させる。その後、水切部材３１の固定部３２を外壁フレーム２７に対してビス固定する。
【００３６】
以上詳述した本実施形態によれば、以下の優れた効果が得られる。
【００３７】
水切部材３１においては、水切板部３３がブラケット４１及びブラケット受け部４２を介して基礎１１に固定される。このため、水切板部３３が、基礎１１の側面に沿って地表面に向けて延びる長さを有していても、水切部材３１の固定をしっかりとしたものにできる。したがって、風などにより外力が加えられても水切部材３１が変形したり破損したりすることを抑制できる。
【００３８】
また、基礎１１の屋外側においてブラケット４１及びブラケット受け部４２が水切板部３３により覆い隠されているため、それらブラケット４１及びブラケット受け部４２が露出して建物１０の外観が損なわれるということを回避できる。さらに、ブラケット４１及びブラケット受け部４２が水切板部３３の背後に隠されていても、ブラケット４１とブラケット受け部４２とを結合させるという容易な作業により水切板部３３を固定できる。
【００３９】
以上により、水切部材３１の取り付け作業を容易化でき、しかも、水切部材３１により建物の見栄えが損なわれることを抑制できる。
【００４０】
水切板部３３と基礎１１との間の隙間部分にブラケット４１及びブラケット受け部４２が収納されているため、その隙間部分においては均等な幅の空間を確保できる。この場合、外壁２４や基礎１１に対する水切板部３３の出寸法を均一とし、建物外観としての見栄えの向上を実現できる。しかも、水切板部３３が基礎１１の側面に対して大きくオーバーラップする構成であっても、水切板部３３と基礎１１との間において通気部としての隙間を確保し、床下空間１５に対する通気性能を良好にできる。
【００４１】
ブラケット４１がブラケット受け部４２に嵌合可能とされているため、水切板部３３を基礎１１に向けて押し付けるという容易な作業により、ブラケット４１とブラケット受け部４２とを結合させることができる。また、ブラケット４１とブラケット受け部４２とを結合させた後に、水切部材３１の固定部３２を外壁パネル２５の下端部に固定すればよいため、水切部材３１を片手で位置保持しながら固定部３２の固定作業を行うという必要がなく、水切部材３１の取り付け作業が煩雑になることを抑制できる。
【００４２】
しかも、水切部材３１を取り外す際には、水切板部３３を基礎部５１から遠ざけるように移動させるという容易な作業によりブラケット４１とブラケット受け部４２との嵌合状態を解除できる。これにより、水切部材３１のメンテナンス作業や基礎１１の点検作業を容易に行うことができる。
【００４３】
建物１０の外周面に沿って配置された複数の基礎部５１により基礎１１が構成されているため、基礎１１の構築に際してコスト負担や作業負担を低減できる。その一方で、基礎部５１同士の離間部分により基礎１１全体の見栄えが損なわれるおそれがあるが、幕板としての役割を果たすことのできる水切部材３１により基礎部５１同士の離間部分が覆い隠されているため、基礎部５１同士の離間部分により建物１０の見栄えが損なわれることを抑制できる。
【００４４】
水切部材３１が基礎幕板としての機能を有しているため、雨等の跳ね返しにより土や汚水が基礎１１の外側面に付着することを阻止できる。また、水切部材３１においては水切りと幕板とが一体化されたものであるため、それら水切りと幕板との境目がなく、ディテールを簡素化でき、見栄えを向上させることができる。
【００４５】
［他の実施形態］
本発明は上記実施形態の記載内容に限定されず、例えば次のように実施されてもよい。
【００４６】
（１）水切部材３１が基礎１１に対して水平方向にスライド移動可能な構成とされていてもよい。例えば、上記実施形態では、ブラケット４１の凸部４３とブラケット受け部４２の凹部４４とがほぼ同じ大きさ及び形状とされていたが、図３に示すように、凹部４４の横幅寸法が凸部４３の横幅寸法よりも大きい構成とする。この構成では、凸部４３を、凹部４４に嵌合した状態でその凹部４４に沿ってスライド移動させることが可能となっている。つまり、ブラケット４１とブラケット受け部４２とが結合した状態でも、水切部材３１を基礎１１の外側面に沿って移動させることにより、水平方向について水切部材３１の位置調整を容易に実施できる。
【００４７】
また、水切部材３１にブラケット４１を取り付けるとともに、基礎１１にブラケット受け部４２を取り付ける際に、それらブラケット４１及びブラケット受け部４２の高さ方向さえ合っていれば、左右横方向の位置合わせは多少ずれていても、ブラケット４１及びブラケット受け部４２にて調整することができる。このため、水切部材３１及び基礎１１にブラケット４１及びブラケット受け部４２を取り付ける作業を容易化できる。
【００４８】
上記構成では、ブラケット受け部４２において、両側端のうち一方は凹部４４を側方に開放した開放端とされており、他方は開放していない閉鎖端とされている。開放端においては、凸部４３がブラケット受け部４２の側方に離脱することが可能となっている。このため、水切部材３１を基礎１１から引き離すように力を加えなくても、単にスライド移動させるという力を必要としない作業により、容易にブラケット４１とブラケット受け部４２とを嵌合及び嵌合解除することができる。一方、閉鎖端においては、凸部４３がブラケット受け部４２の側方に離脱することが阻止されるとともに、凸部４３の位置決めがなされる。このため、水平方向における水切部材３１の位置調整を容易化できる。
【００４９】
なお、ブラケット受け部４２においては、両側端の両方が閉鎖端とされていてもよく、開放端とされていてもよい。ちなみに、少なくとも一方の側端が開放端とされている場合、ブラケット４１の凸部４３及びブラケット受け部４２の凹部４４の各横幅寸法がほぼ同じ大きさとされていても、凸部４３を凹部４４に沿ってスライド移動させることができる。つまり、水切部材３１を基礎１１に対してスライド移動させることができる。なお、ブラケット受け部４２が開放端を有していれば、ブラケット４１及びブラケット受け部４２が弾性変形しない構成とされていても、凸部４３のスライド移動によりブラケット４１及びブラケット受け部４２の結合及び解除が可能となる。
【００５０】
また、ブラケット受け部４２の凹部４４は、水平方向に対して交差する方向に延びていてもよい。つまり、水切板部３３は、水平方向に対して交差する方向にスライド移動可能な構成とされていてもよい。
【００５１】
（２）上記実施形態では、ブラケット４１に凸部４３が設けられ、ブラケット受け部４２に凹部４４が設けられているが、ブラケット４１及びブラケット受け部４２のうち一方に凸部４３が設けられ、他方に凹部４４が設けられていればよい。要は、第１部材及び第２部材のうち一方が凸部４３を有し、他方が凹部４４を有する構成であればよい。
【００５２】
（３）ブラケット４１が基礎１１に取り付けられ、ブラケット受け部４２が水切部材３１に取り付けられていてもよい。この場合、ブラケット４１が第１部材に相当し、ブラケット受け部４２が第２部材に相当することになる。
【００５３】
（４）水切部材３１は、外壁パネル２５の外壁フレーム２７ではなく、外壁面材２６の下端部や床大梁２１などに取り付けられていてもよい。また、例えば、木製角材などからなる土台が基礎１１の上方に設けられている構成においては、水切部材３１が土台に取り付けられていてもよい。要は、水切部材３１は一階部分の外壁２４の下方に設けられていればよい。
【００５４】
（５）第１部材としてのブラケット受け部４２は、基礎部５１の上端寄りに配置されていてもよく、下端寄りに配置されていてもよい。この場合、第２部材としてのブラケット４１は、水切板部３３においてブラケット受け部４２に合わせた高さ位置に配置されることが好ましい。
【００５５】
（６）第１部材としてのブラケット受け部４２は、上下方向に複数並べて設けられていてもよい。この場合、複数のブラケット受け部４２の中からブラケット４１の結合相手を選択することにより、水切部材３１の取り付け高さを設定できる。また、第２部材としてのブラケット４１が、ブラケット受け部４２に対応させて上下方向に複数並べて設けられていれば、水切部材３１を基礎１１に対して強固に固定できる。
【００５６】
（７）水切部材３１において、水切板部３３の上下方向における長さ寸法は、少なくとも下端部が基礎１１の側方に配置される大きさであればよい。つまり、水切板部３３の下端部は、基礎１１の側方において基礎上端寄り、略中央、下端寄りのいずれにあってもよい。
【００５７】
（８）基礎１１は、建物１０の外周部に沿って延びる連続基礎とされていてもよい。この場合、第１部材及び第２部材が、建物１０の外周部に沿う基礎周方向において、各々離間させた位置に複数設ける構成とすることが好ましい。これにより、基礎１１が連続基礎とされていても、水切板部３３と基礎１１との隙間において、第１部材同士の離間部分及び第２部材同士の離間部分を通じて床下空間１５の通気性を確保できる。なお、連続基礎としては、地中に埋設されたフーチング部とそのフーチング部から上方に延びる立ち上がり部とを有する布基礎が挙げられる。
【００５８】
（９）基礎１１は少なくとも一部が地中に埋設されていてもよい。例えば、複数の基礎部５１が地上において各々分割されていれば、それら基礎部５１を連結する連結部が地中に埋設されていてもよい。
【００５９】
（１０）水切部材３１は、建物１０の外周面のうち少なくとも一部に設けられていればよい。例えば、少なくとも建物正面（ファサード）や、玄関付近、庭に直面する位置に水切部材３１が設けられていることが好ましい。
【符号の説明】
【００６０】
１０…壁体、１１…基礎、２４…外壁、３１…水切部材、３２…固定部、３３…水切板部、４１…第２部材としてのブラケット、４２…第１部材としてのブラケット受け部、４３…凸部、４４…凹部、５１…基礎部。
【図１】
2013100641.tif 000003
【図２】
2013100641.tif 000004
【図３】
2013100641.tif 000005